(57)【要約】  【課題】体液が一度に多量に発生した場合であっても、十分に体液を堰き止め、製品の前後方向のみならず、幅方向への体液の横漏れを防止する。  【解決手段】透液性表面シート３と、不透液性裏面シート２との間に吸収体４が介在され、かつ前記吸収体４の略中央部領域に表面側に増厚された中高部６を有する吸収性物品１Ａにおいて、前記中高部６の領域内であって、かつ体液排出部領域Ｋを挟む両側部にそれぞれ、吸収性物品の長手方向に延びる防漏溝８を形成する。この防漏溝８の深さは０．５〜９．０mmとする。【選択図】図１
2005102900.tif 000002
【特許請求の範囲】
【請求項１】
透液性表面シートと、裏面シートとの間に吸収体が介在され、かつ前記吸収体の略中央部領域に表面側に増厚された中高部を有する吸収性物品において、
前記中高部の領域内であって、かつ体液排出部領域を挟む両側部にそれぞれ、吸収性物品の長手方向に延びる防漏溝が形成されたことを特徴とする吸収性物品。
【請求項２】
前記防漏溝は、深さが０．５〜９．０mmとされる請求項１記載の吸収性物品。
【請求項３】
前記防漏溝の外側に前記中高部をプレスによって薄化した薄化部を形成した請求項１、２いずれかに記載の吸収性物品。
【請求項４】
前記中高部は、前記吸収性物品を３つ折りし個装する際の前後の折り線位置の間に形成されている請求項１〜３いずれかに記載の吸収性物品。
【発明の詳細な説明】
【技術分野】
【０００１】
本発明は、主には生理用ナプキン、おりものシート、失禁パッド、医療用パッド、トイレタリー等に使用される吸収性物品であって、詳しくは防漏溝の堰き止め効果を向上させることにより体液の横漏れを確実に防止した吸収性物品に関する。
【背景技術】
【０００２】
従来より、パンティライナー、生理用ナプキン、失禁パッドなどの吸収性物品として、ポリエチレンシートまたはポリエチレンシートラミネート不織布などの不透液性裏面シートと、不織布または透液性プラスチックシートなどの透液性表面シートとの間に綿状パルプ等からなる吸収体を介在したものが知られている。
【０００３】
この種の吸収性物品にも幾多の改良が重ねられ、体液の漏れを防止するための種々の手段が講じられている。これら体液漏れ防止手段の一つとして、図８に示されるように、吸収体４１の略中央部領域に表面側に増厚した中高部４２を形成して排血部へのフィット性を向上せしめるとともに、前記中高部４２の形状を保持し吸収体４１に吸収された体液を堰き止めるために、前記中高部４２の周縁の外側位置に線状のエンボス加工を施すことにより凹状の防漏溝４３が形成された吸収性物品４０Ａが知られている（下記特許文献１〜４等参照）。また、図９に示されるように、中高部４２の中央にナプキンの長手方向に延びるエンボス加工を施すことにより防漏溝４３を形成した吸収性物品４０Ｂも知られている。
【特許文献１】特開平８−１１７２７７号公報
【特許文献２】特開平１０−３２８２３３号公報
【特許文献３】特開平１１−３５８号公報
【特許文献４】特開平１１−３３０５４号公報
【発明の開示】
【発明が解決しようとする課題】
【０００４】
しかしながら、前記吸収性物品４０Ａでは、中高部４２を形成することにより製品が排血口にフィットし易くなるので、製品の前後方向への体液の漏れは防止できるけれども、中高部４２の外側、すなわち吸収体４１の厚みの薄い部分に防漏溝４３を形成していたため、防漏溝４３を深く形成することができず、製品の幅方向に拡散する体液の横漏れを十分に堰き止めることができないという問題があった。この問題は吸収体の厚みを薄くした薄型吸収性物品ほど顕著となる。
【０００５】
一方、前記中高部４２の中央に防漏溝４３を形成する吸収性物品４０Ｂの場合には、例えば寝る、座る等の体勢において脚をくみかえるなどして姿勢が変化し、腹圧がかかることにより一度に体液が多量に生じた際には、防漏溝４３では体液を収容しきれず、体液が溢れて漏れてしまう問題があった。
【０００６】
そこで、本発明の主たる課題は、体液が一度に多量に発生した場合であっても、十分に体液を堰き止め、製品の前後方向のみならず、幅方向への体液の横漏れを防止することができる吸収性物品を提供することにある。
【課題を解決するための手段】
【０００７】
前記課題を解決するために請求項１に係る本発明として、透液性表面シートと、裏面シートとの間に吸収体が介在され、かつ前記吸収体の略中央部領域に表面側に増厚された中高部を有する吸収性物品において、
前記中高部の領域内であって、かつ体液排出部領域を挟む両側部にそれぞれ、吸収性物品の長手方向に延びる防漏溝が形成されたことを特徴とする吸収性物品が提供される。
【０００８】
図７に示される従来の吸収性物品の場合には、中高部の外側にエンボスを施すようにしていたため、防漏溝を深く形成することが出来なかったが、上記請求項１記載の発明によれば、前記中高部の幅を広げ、防漏溝を前記中高部の領域内に形成するようにしたため、十分な溝深さを確保することができ、多量の体液を溝内に収容することが可能となるため、体液の前後漏れのみならず、横漏れも効果的に防止できるようになる。
【０００９】
請求項２に係る本発明として、前記防漏溝は、深さが０．５〜９．０mmとされる請求項１記載の吸収性物品が提供される。
【００１０】
請求項３に係る本発明として、前記防漏溝の外側に前記中高部をプレスによって薄化した薄化部を形成した請求項１、２いずれかに記載の吸収性物品が提供される。
【００１１】
上記請求項３記載の発明においては、前記防漏溝の外側に、前記中高部をプレスによって薄化した薄化部を形成した。従って、中高部が存在しても両側部分がプレスによって薄型化されたことによって装着時に違和感が無くなるとともに、折り畳んだ製品時にも薄くできるようになる。
【００１２】
請求項４に係る本発明として、前記中高部は、前記吸収性物品を３つ折りし個装する際の前後の折り線位置の間に形成されている請求項１〜３いずれかに記載の吸収性物品が提供される。
【００１３】
上記請求項４記載の発明では、吸収性物品を３つ折りし個装する際の前後の折り線の間に中高部を形成するようにした。従って、３つ折りされた製品状態において吸収性物品の厚みを薄くできるようになる。
【発明の効果】
【００１４】
以上詳説のとおり本発明によれば、体液が一度に多量に発生した場合であっても、十分に体液を堰き止め、製品の前後方向のみならず、幅方向への体液の横漏れを防止することができる。また、中高部の外側をプレス成形によって薄型化したため装着時の違和感を低減でき、かつ３つ折り線の間に中高部を形成するようにしたため、製品状態でも薄くできるようになる。
【発明を実施するための最良の形態】
【００１５】
以下、本発明の実施の形態について図面を参照しながら詳述する。
〔第１形態例〕
図１は本発明の第１形態例に係る吸収性物品１Ａの一部破断平面図であり、図２はそのII−II線矢視図である。
【００１６】
吸収性物品１Ａは、主にはパンティライナー、生理用ナプキン、おりものシート、失禁パッドなどの用途に供されるもので、例えば図１に示されるように、不透液性裏面シート２と、透液性表面シート３（以下、単に表面シートともいう。）との間に、吸収体４または同図に示すように、前記吸収体４とこれを囲繞するクレープ紙５とからなる吸収体ユニットが介在された構造となっている。前記吸収体４の周囲においては、前記不透液性裏面シート２と透液性表面シート３とがホットメルト接着剤等の接着手段によって接合されている。
【００１７】
前記不透液性裏面シート２は、ポリエチレン、ポリプロピレン等の少なくとも遮水性を有するシート材が用いられるが、この他にポリエチレンシート等に不織布を積層したラミネート不織布や、さらには防水フィルムを介在して実質的に不透液性を確保した上で不織布シート（この場合には、防水フィルムと不織布とで不透液性裏面シートを構成する。）などを用いることができる。近年はムレ防止の観点から透湿性を有するものが好適に用いられる傾向にある。この遮水・透湿性シート材としては、ポリエチレンやポリプロピレン等のオレフィン系樹脂中に無機充填剤を溶融混練してシートを成形した後、一軸または二軸方向に延伸することにより得られる微多孔性シートが好適に用いられる。
【００１８】
前記吸収体４としては、体液を吸収・保持し得るものであれば良く、通常はフラッフ状パルプ中に吸収性ポリマー粉末を混在したものが吸収機能および価格の点から好適に使用される。前記パルプとしては、木材から得られる化学パルプ、溶融パルプ等のセルロース繊維や、レーヨン、アセテート等の人工セルロース繊維からなるものが挙げられ、広葉樹パルプよりは繊維長の長い針葉樹パルプの方が機能および価格の面で好適に使用される。前記吸収体４は、形状保持、および経血等を速やかに拡散させるとともに、一旦吸収した経血等の逆戻りを防止するためにクレープ紙５によって囲繞するのが望ましい。また、吸収体４の平面形状は、図示されるように、小判状としてもよいし、或いは股間部への当たりを和らげるためにフィットカット形状（ひょうたん形状）としてもよい。
【００１９】
一方、本吸収性物品１Ａにおける表面シート３としては、無孔または有孔の不織布や多孔性プラスチックシートなどが好適に用いられる。前記不織布を構成する素材繊維としては、たとえばポリエチレンまたはポリプロピレン等のオレフィン系、ポリエステル系、ポリアミド系等の合成繊維の他、レーヨンやキュプラ等の再生繊維、綿等の天然繊維とすることができる。また、融点の高い繊維を芯とし融点の低い繊維を鞘とした芯鞘型繊維やサイド−バイ−サイド型繊維、分割型繊維等の複合繊維も好適に用いることもできる。
【００２０】
加工法については、スパンレース法、スパンボンド法、サーマルボンド法、メルトブローン法、ニードルパンチ法等の適宜の加工法によって得られた不織布を用いることができる。これらの加工法の内、スパンレース法は柔軟性、ドレープ性に富む点で優れ、サーマルボンド法は嵩高でソフトである点で優れている。また、エンボス加工が施しやすい点では合成繊維からなる不織布が好適に使用される。
【００２１】
前記吸収体４の表面側には、図２及び図３に明確に示されるように、吸収体４の略中央部領域に対し、標準部吸収体４Ａより表面側に増厚された中高部６を有する。前記中高部６は、図１に示されるように、製品折畳み時に折り目となる前後の折れ線位置Ｐ１・Ｐ２の間に形成されている。前記中高部６の前後端近傍からは、それぞれ製品の略長手方向に延びる複数のサイドエンボス７ａ、７ａ…および７ｂ、７ｂ…が形成されている。また、前記標準部吸収体４Ａの厚みは１〜３mmとされ、前記中高部６の厚みは１．５〜８．０mm、好ましくは２．０〜４．０mmとするのがよい。また、前記標準部吸収体４Ａはエアレイド又は積繊吸収体をプレスしたものを用いるのが望ましく、前記中高部６は別体の吸収性シートを積層することにより形成しても良いし、標準部吸収体４Ａと一体的に形成してもよい。
【００２２】
前記中高部６の領域内においては、体液排出部領域Ｋを挟む両側部にそれぞれ、透液性表面シート３の上面側からエンボスを付与することにより、製品の長手方向に延びる左右一対の凹状の防漏溝８，８が形成されている。この防漏溝８は、図２および図３に示されるように、エンボス加工により透液性表面シート３とクレープ紙５とが融着されて、中高部６の厚みｈ１より深く、標準部吸収体４Ａに亘る程度の深さに形成されている。前記防漏溝８の深さＨは０．５〜９．０mm、好ましくは２．０〜６．０mmとするのがよい。深さＨが０．５mm未満の場合には体液の堰き止め効果が小さく横漏れを効果的に防止することができない。深さＨが９．０mmを超える場合には吸収体の厚みを厚くする必要があるため薄型吸収性物品の利便性が失われてしまうことになる。また、前記防漏溝８の深さＨは標準部吸収体４Ａの厚みＴとの比（Ｈ／Ｔ）では０．０６〜３．３、好ましくは０．２〜０．８とするのが望ましい。一方、防漏溝８の底部幅Ｂは０．５〜５．０mmとするのがよい。
【００２３】
前記防漏溝８には、図３に示されるように、着用者の体液排出部（図示せず）より排出された体液９が、流れ込んで堰き止められ、これ以上側方には移動しない。すなわち、本吸収性物品１Ａにおいては、前記防漏溝８が中高部６の範囲内に形成されるので防漏溝８を深く形成することができ、しかも、体液排出部位Ｋの外側に左右一対形成されるので、左右方向のどちらに流れても体液を堰き止めることが可能となる。
【００２４】
なお、前記防漏溝８、８の平面形状は、前記体液排出部領域Ｋを挟む両側に形成されるとともに、製品の長手方向に延びていれば特に問わないが、図１に示される例では、中央部が最も幅が狭く、製品前後端に行くに従って離間幅を漸次拡大する湾曲形状を成し、端部では内方側に向かう曲線部が形成されている。
【００２５】
〔第２形態例〕
次いで、図５および図６に示される第２形態例に係る吸収性物品１Ｂについて詳述する。
【００２６】
前記第１形態例に係る吸収性物品１Ａと比較し相違点のみを説明すると、本吸収性物品１Ｂでは、図５に示されるように、中高部６の幅Ｗ２が前述した吸収性物品１Ａにおける中高部幅Ｗ１（図１参照）よりも広く形成され、前記中高部６の領域内においては、体液排出部領域Ｋを挟む両側部にそれぞれ、透液性表面シート３の上面側からエンボスを付与することにより、左右一対の凹状の防漏溝８，８が形成されているとともに、この防漏溝８，８の外側に前記中高部６をプレスによって薄化した薄化部１０を形成するようにしたものである。
【００２７】
本吸収性物品１Ｂでは、前記防漏溝８の外側にプレスによる薄化部１０を形成したため、装着時に中高部６の側部が股間部に当たり違和感となるのを解消することができる。
【００２８】
なお、前記薄化部１０は、透液性表面シート３の上面側からプレスによって薄型化を図るのではなく、吸収体単体の状態でプレスを付与し、製品状態では外側からプレスによる薄化部分が分からないようにするのが望ましい。
【００２９】
〔第３形態例〕
前記防漏溝８の形成態様に係り、上記第１、第２形態例では体液排出部領域Ｋを挟む両側部にそれぞれ、透液性表面シート３の上面側からエンボスを付与することにより、左右一対の凹状の防漏溝８，８を形成するようにしたが、防漏溝８は体液排出部領域Ｋを挟む両側部にそれぞれ、製品の長手方向に延びるように形成されておればよく、例えば図７に示されるように、左右それぞれの側に形成された防漏溝８，８の前後端部において両端同士が結合され、略方形状に形成されていてもよい。
【図面の簡単な説明】
【００３０】
【図１】本発明の第１形態例に係る吸収性物品１Ａの一部破断平面図である。
【図２】そのII−II線矢視図である。
【図３】防漏溝８の拡大図である。
【図４】図１のIV−IV線矢視図である。
【図５】本発明の第２形態例に係る吸収性物品１Ｂの一部破断平面図である。
【図６】そのVI−VI線矢視図である。
【図７】本発明の第３形態例に係る吸収性物品１Ｃの一部破断平面図である。
【図８】従来の吸収性物品４０Ａの簡略横断面図である。
【図９】従来の吸収性物品４０Ｂの簡略横断面図である。
【符号の説明】
【００３１】
１Ａ・１Ｂ…吸収性物品、２…不透液性裏面シート、３…透液性表面シート、４…吸収体、４Ａ…標準部吸収体、５…クレープ紙、６…中高部、８…防漏溝、９…体液、１０…薄化部
【図１】
2005102900.tif 000003
【図２】
2005102900.tif 000004
【図３】
2005102900.tif 000005
【図４】
2005102900.tif 000006
【図５】
2005102900.tif 000007
【図６】
2005102900.tif 000008
【図７】
2005102900.tif 000009
【図８】
2005102900.tif 000010
【図９】
2005102900.tif 000011